(57)【特許請求の範囲】
【請求項１】
第１の多角形輪郭を有する吸水シート（Ｓａ）を保持する吸水シート保持マット（Ｍ）であって、
互いに対向する第１の主面（Ｓｔ）と第２の主面（Ｓｂ）とで規定される、第２の多角形輪郭を有するマット部（Ｐｍ）と、
上面（Ｓｒｕ）に、前記吸水シート（Ｓａ）の周辺部の一部が挿入される少なくとも１本のスリットを有するスリット部（Ｓ、Ｓｄ）が前記第１の主面（Ｓｔ）より第１の所定の高さ（ｔ２〜ｔ２ｂ）に形成されている、少なくとも１つの保持部（Ｐｒ）とを備え、前記吸水シート（Ｓａ）は前記第１の主面（Ｓｔ）の上に載置されることを特徴とする吸水シート保持マット（Ｍ）。
【請求項２】
前記スリット部（Ｓｄ）は、第１の所定の高さ（ｔ２）と、当該第１の所定の高さ（ｔ２）より低い第２の高さ（ｔ２ｂ）とに渡って形成されていることを特徴とする、請求項１に記載の吸水シート保持マット（Ｍ、Ｍ１ｄ）。
【請求項３】
前記スリット部（Ｓｄ）は前記第１の主面（Ｓｔ）より離間する方向に凸状に張り出して形成されていることを特徴とする、請求項２に記載の吸水シート保持マット（Ｍ、Ｍ１ｄ）。
【請求項４】
前記第１の多角形輪郭は前記第２の多角形輪郭より小さく、前記保持部（Ｐｒ）は前記マット部（Ｐｍ）の上に設けられていることを特徴とする、請求項１及び請求項２の何れかに記載の吸水シート保持マット（Ｍ）。
【請求項５】
前記第１の多角形輪郭は前記第２の多角形輪郭より大きく、前記保持部（Ｐｒ）は前記マット部（Ｐｍ）に隣接して設けられていることを特徴とする、請求項１及び請求項２の何れかに記載の吸水シート保持マット（Ｍ４）。
【請求項６】
少なくとも２つの前記保持部（Ｐｒ１）が前記第２の多角形輪郭の対角線上に隣接して配置されることを特徴とする、請求項１及び請求項２の何れかに記載の吸水シート保持マット（Ｍ２）。
【請求項７】
前記第２の主面（Ｓｂ）には、前記隣接する保持部（Ｐｒ１）を互いに連通する通路（Ｐａｓ）が形成されていることを特徴とする、請求項６に記載の吸水シート保持マット（Ｍ２）。
【請求項８】
前記上面（Ｓｒｕ）には、少なくとも２つのスリット部（Ｓ３、Ｓ４）が前記第２の多角形輪郭の対角線上に隣接して配置されることを特徴とする、請求項１及び請求項２の何れかに記載の吸水シート保持マット（Ｍ３）。
【請求項９】
前記第２の主面（Ｓｂ）には、前記隣接するスリット部（Ｓ３、Ｓ４）を互いに連通する通路（Ｐａｓ）が形成されていることを特徴とする、請求項８に記載の吸水シート保持マット（Ｍ２）。
【請求項１０】
前記吸水シート（Ｓａ）は、
前記第１の多角形輪郭より小さな第３の多角形輪郭を有する吸水部（Ｓｐａ）と、
前記第１の多角形輪郭を有して前記吸水部（Ｓｐａ）の周囲に延在する縁部（Ｓｐｒ）とを含み、
前記隣接する保持部（Ｐｒ１）の中心間距離は、前記第３の多角形輪郭と前記第１の多角形輪郭との距離より小さいことを特徴とする、請求項６に記載の吸水シート保持マット（Ｍ２）。
【請求項１１】
前記吸水シート（Ｓａ）は、
前記第１の多角形輪郭より小さな第３の多角形輪郭を有する吸水部（Ｓｐａ）と、
前記第１の多角形輪郭を有して前記吸水部（Ｓｐａ）の周囲に延在する縁部（Ｓｐｒ）とを含み、
前記隣接するスリット部（Ｓ３、Ｓ４）の中心間距離は、前記第３の多角形輪郭と前記第１の多角形輪郭との距離より小さいことを特徴とする、請求項８に記載の吸水シート保持マット（Ｍ３）。
【請求項１２】
前記マット部（Ｐｍ）の周囲に、前記第１の主面（Ｓｔ）より第３の所定の高さ（Ｈ１）に形成されているマット縁部（Ｒｍ）を更に備える、請求項４に記載の吸水シート保持マット（Ｍ）。
【請求項１３】
前記マット部（Ｐｍ）の周囲に、前記第１の主面（Ｓｔ）より第３の所定の高さ（Ｈ１）に形成されているマット縁部（Ｒｍ）を更に備える、請求項５に記載の吸水シート保持マット（Ｍ）。
【請求項１４】
前記マット縁部（Ｒｍ）は、前記隣り合う保持部（Ｐｒ）を一体的に接続している、請求項１３に記載の吸水シート保持マット（Ｍ７）。
【請求項１５】
前記吸水シート（Ｓａ）は、
前記第１の多角形輪郭より小さな第３の多角形輪郭を有する吸水部（Ｓｐａ）と、
前記第１の多角形輪郭を有して、前記吸水部（Ｓｐａ）の周囲に、所定の幅（Ｌｐｒ）を有して延在する縁部（Ｓｐｒ）とを含み、
前記隣り合う保持部（Ｐｒ）のスリット部（Ｓ）の中心を結ぶ線（Ｓａ１）と、前記マット縁部（Ｒｍ）の内周面（Ｓｉ）との間の距離（Ｌｅｉ）は前記所定の幅（Ｌｐｒ）より小さいことを特徴とする、請求項１４に記載の吸水シート保持マット（Ｍ７）。
【発明の詳細な説明】
【技術分野】
【０００１】
本発明は、吸水シートの保持に用いられる吸水シート保持マットに関し、より特定的には、ペット用の吸水シートの保持に用いられる、ペット用吸水シート保持マットに関する。
【背景技術】
【０００２】
屋内で液体を扱う際に、床や机など水を嫌う物に水が掛かってしまうのを防ぐ目的で、通常、水を吸収するシート（以下、「吸水シート」）が敷かれる。しかしながら、吸収すべき水量が吸水シートの吸水能力を超えたり、吸水シートが移動してしまったりすると、目的を果たすことができない。吸水シートが移動するような代表的な例として、ペットに食事を与えたり、ペットに排泄させたりする場合に、ペットが吸水シートを動かしてしまうことを挙げることができる。また、ペットが吸水シートを破損させてしまったりすれば、水量が吸水シートの能力を超えるのと同様の事態になる。【０００３】
上記の問題に対応するために、特許文献１に提案されているペット用トイレマットを挙げることができる。図７８及び図７９に示すように、特許文献１のペット用トイレマットは、その上面にペット用トイレシートを載置して使用される。ペット用トイレマット１００１は、略矩形状の本体と、ペット用トイレシート１００２を本体に保持するための一対の固定具１０１１ａ、１０１１ｂとを含む。本体は、好ましくは撥水性を有し、耐久性が優れ、且つ携帯の便を図るべく変形が容易な素材で構成される。本体はマグネット１１２を備え、固定具１０１１ａ、１０１１ｂはマグネット１１１を備えている。【０００４】
ペット用トイレマット１００１へのペット用トイレシート１００２の取り付けは、以下の要領で行われる。本体の上面にペット用トイレシート（以降、「トイレシート」）１００２を敷いた後に、マグネット１１１がマグネット１１２の上部にくるように、固定具１０１１ａ、１０１１ｂをトイレシート１００２の上に位置決めする。そして、その状態で固定具１０１１ａ、１０１１ｂを本体上に下ろし、マグネット１１１とマグネット１１２とを結合させる。そして、トイレシート１００２は、マグネット１１１とマグネット１１２との間に働く磁力（結合力）により、トイレシート１００２とマグネット１１１とマグネット１１２との間に生じる摩擦力によって固定されてペット用トイレマット１００１に保持される。トイレシート１００２を取り外す際は、固定具１０１１ａ、１０１１ｂを本体から取り外した後に、トイレシート１００２を本体から取り外す。【０００５】
マグネット１１１、１１２を用いない場合には、固定具１０１１ａ、１０１１ｂの重量により、トイレシート１００２と固定具１０１１ａ、１０１１ｂとの間に生じる摩擦力によってトイレシート１００２はペット用トイレマット１００１に固定される。この場合、ペットの動作によるトイレシート１００２のズレを防止するためには、トイレシート１００２の固定力を増すために、固定具１０１１ａ、１０１１ｂの重量を増して摩擦力を増大させる。なお、マグネット１１１、１１２を用いる場合には、マグネットの磁力を増して摩擦力を増大させる。
【先行技術文献】
【特許文献】
【０００６】
【特許文献１】特開２００７−１１０９２９号公報
【発明の概要】
【発明が解決しようとする課題】
【０００７】
特許文献１が開示するペット用トイレマットは、トイレマットにトイレシートを着脱する度に、固定具の取り外し及び取り付けを行う必要がある。また、固定具はトイレマットの本体とは別体であって、トイレマットの使用時はトイレシートの上に置かれる。そのため、固定具がペットの排泄物で汚れる可能性があり、固定具の洗浄が必要となる。また、固定具はトイレマットの本体とは別体であるので、トイレシートの交換や固定具を洗浄する際に紛失するおそれもある。【０００８】
さらに、固定具とトイレマットの本体とを位置決めする手段としてマグネットを用いているが、トイレマット本体側のマグネットはトイレシートの下に配置されているので、固定具の取り付け時に作業者が視認することができない。その上、トイレシートの大きさは、トイレマット本体側のマグネット間の距離よりも大きくなければ、固定具によってトイレマットに固定することができず、使用できるトイレシートのサイズに制約がある。【０００９】
また、ズレ防止の為には固定具を重くするか、マグネットを強化する必要がある。固定具の重量化は、トイレマットの携帯性を損なうと共に、脱着作業による作業者に掛かる負荷を増大させてしまう。一方、重量の増加を伴わないマグネットの強化はトイレマットの携帯性は損なわないものの、強力な磁力により固定具の脱着作業負荷が増大すると共に周囲の磁性体製品への影響の考慮が要求される。【００１０】
本発明は、このような問題点に鑑み、吸水シートを容易に且つ確実に保持できる吸水シート保持マットを提供することを目的とする。
【課題を解決するための手段】
【００１１】
上記の目的を達成するために、本発明の吸水シート保持マットは、第１の多角形輪郭を有する吸水シートを保持する吸水シート保持マットであって、互いに対向する第１の主面と第２の主面で規定される、第２の多角形輪郭を有するマット部と、上面に、前記吸水シートの周辺部の一部が挿入される少なくとも１本のスリットを有するスリット部が前記第１の主面より第１の所定の高さに形成されている、少なくとも１つの保持部とを備え、前記吸水シートは前記第１の主面の上に載置されることを特徴としている。
【発明の効果】
【００１２】
本発明は、吸水シートを容易に且つ確実に保持できる吸水シート保持マットを実現できる。
【図面の簡単な説明】
【００１３】
【図１】本発明に係る吸水シート保持マットの使用時の状態を示す斜視図である。
【図２】本発明の実施の形態１に係る吸水シート保持マットの使用時の状態を示す斜視図である。
【図３】本発明の実施の形態１に係る吸水シート保持マットの構成を示す図である。
【図４】図３に示す吸水シート保持マットの斜視図である。
【図５】図３に示す吸水シート保持マットの保持部の一例を示す平面図である。
【図６】図５に示す保持部の断面構造を示す図である。
【図７】図６に示す保持部のスリット部の拡大平面図である。
【図８】図３に示す保持部の断面構造の異なる例を示す図である。
【図９】図８に示す保持部のスリット部の拡大平面図である。
【図１０】図５に示す保持部の周壁の変形例を示す図である。
【図１１】図３の吸水シート保持マットの第１の変形例の構成を示す図である。
【図１２】図１１に示す吸水シート保持マットの斜視図である。
【図１３】図３の吸水シート保持マットの第２の変形例の平面図である。
【図１４】図３の吸水シート保持マットの第３の変形例の平面図である。
【図１５】本発明の実施の形態２に係る吸水シート保持マットの構成を示す図である。
【図１６】図１５に示す吸水シート保持マットの斜視図である。
【図１７】図１５に示す吸水シート保持マットの保持部の平面図である。
【図１８】図１５の吸水シート保持マットの変形例の構成を示す図である。
【図１９】図１８に示す吸水シート保持マットの斜視図である。
【図２０】本発明の実施の形態３に係る吸水シート保持マットの構成を示す図である。
【図２１】図２０に示す吸水シート保持マットの斜視図である。
【図２２】図２０に示す吸水シート保持マットの保持部の上面図である。
【図２３】図２２に示す保持部の下面図である。
【図２４】図２２において、直線ＸＸＩＶ−ＸＸＩＶで切った保持部の断面図である。
【図２５】図２２において、直線ＸＸＶ−ＸＸＶで切った保持部の断面図である。
【図２６】図２０に示す吸水シート保持マットに、吸水シートを取り付ける手順を示す説明図である。
【図２７】図２０に示す吸水シート保持マットの使用時の状態を示す斜視図である。
【図２８】本発明に係る吸水シート保持マットの引張張力試験の結果を示す表である。
【図２９】図２０に示す吸水シート保持マットの第１の変形例の構成を示す図である。
【図３０】図２９に示す吸水シート保持マットの斜視図である。
【図３１】図２０に示す吸水シート保持マットの第２の変形例の平面図である。
【図３２】図２０に示す吸水シート保持マットの第２の変形例の平面図である。
【図３３】本発明の実施の形態４に係る吸水シート保持マットの平面図である。
【図３４】本発明の実施の形態５に係る吸水シート保持マットの平面図である。
【図３５】本発明の実施の形態６に係る吸水シート保持マットの保持部にキャップが勘合されている状態を示す拡大断面図である。
【図３６】本発明の実施の形態７に係る吸水シート保持マットの構成を示す図である。
【図３７】図３６において、直線３７―３７で切った周辺部の拡大断面図である。
【図３８】図３６において、直線３８―３８で切った保持部の拡大断面図である。
【図３９】図３６に示すマット縁部の形状及び配設位置の例を示す説明図である。
【図４０】図３６に示す吸水シート保持マットの変形例の説明図である。
【図４１】本発明の実施の形態８に係る吸水シート保持マットの平面図である。
【図４２】図４１において、直線４２−４２で切った周辺部の拡大断面図である。
【図４３】図４１において、直線４３―４３で切った保持部の拡大断面図である。
【図４４】図４１に示すマット縁部の変形例を示す拡大断面図である。
【図４５】本発明の実施の形態９に係る吸水シート保持マットの平面図である。
【図４６】本発明の実施の形態１０に係る吸水シート保持マットの平面図である。
【図４７】図４６において、直線４７−４７で切った周辺部の拡大断面図である。
【図４８】図４６において、直線４８―４８で切った保持部の拡大断面図である。
【図４９】図４６に示すマット縁部の変形例を示す拡大断面図である。
【図５０】本発明の実施の形態１１に係る吸水シート保持マットの平面図である。
【図５１】図５０において、直線５１−５１で切った周辺部の拡大断面図である。
【図５２】図５０において、直線５２―５２で切った保持部の拡大断面図である。
【図５３】図５０に示すマット縁部の変形例を示す拡大断面図である。
【図５４】本発明の実施の形態１２に係る吸水シート保持マットの平面図である。
【図５５】図５４において、マット部の短辺に略平行に、マット縁部の位置で切った吸水シート保持マットの断面図である。
【図５６】図５４において、マット部の長辺に略平行に、マット縁部の位置で切った吸水シート保持マットの断面図である。
【図５７】図５６に示すマット部を切欠を結ぶ線に折り曲げた様子を示す斜視図である。
【図５８】本発明の実施の形態１３に係る吸水シート保持マットの平面図である。
【図５９】図５８において、マット部の短辺に略平行に、マット縁部の位置で切った吸水シート保持マットの断面図である。
【図６０】本発明の実施の形態１４に係る吸水シート保持マットの平面図である。
【図６１】図６０において、マット縁部を中心に切った吸水シート保持マットの断面図である。
【図６２】図６０において、保持部のスリット中心軸で切った吸水シート保持マットの断面図である。
【図６３】図２０の保持部の変形例を示す平面図である。
【図６４】図６３において、直線６４−６４で切った、異なる変形例にかかる保持部の断面図である。
【図６５】図６０の吸水シート保持マットの第１の変形例の平面図である。
【図６６】図６０の吸水シート保持マットの第２の変形例の平面図である。
【図６７】本発明の実施の形態１５に係る吸水シート保持マットの平面図である。
【図６８】図６７においてマット縁部を中心切った、吸水シート保持マットの断面図である。
【図６９】図６７の吸水シート保持マットの第１の変形例の平面図である。
【図７０】図６７の吸水シート保持マットの第２の変形例の平面図である。
【図７１】本発明の実施の形態１６に係る吸水シート保持マットの平面図である。
【図７２】図７１においてマット縁部を中心に切った、吸水シート保持マットの断面図である。
【図７３】本発明の実施の形態１７に係る吸水シート保持マットの平面図である。
【図７４】図７３において、マット縁部を中心に切った、吸水シート保持マットの断面図である。
【図７５】図７３の吸水シート保持マットの第１の変形例の平面図である。
【図７６】図７３の吸水シート保持マットの第２の変形例の平面図である。
【図７７】図３の吸水シート保持マットの第４の変形例の説明図である。
【図７８】従来のペット用トイレマットの平面図である。
【図７９】図７８において、直線７９−７９で切ったペット用トイレマットの断面図である。
【発明を実施するための形態】
【００１４】
以下、本発明の実施の形態に係る吸水シート保持マットのそれぞれについて具体的に述べる前に、図１を参照して本発明の技術的概念について説明する。所定の多角形輪郭を有する吸水シートを容易に且つ確実に保持できることを目的とする、本発明に係る吸水シート保持マットＭは、吸水シートＳａが載置される面Ｓｔ（以降、「載置面Ｓｔ」）を有するマット部Ｐｍと、吸水シートＳａを保持する保持部Ｐｒとを有する。マット部Ｐｍは所定の多角形輪郭を有すると共に、載置面Ｓｔを第１の主面とし、載置面Ｓｔに所定距離ｔ１だけ離れて対向する第２の主面Ｓｂとにより規定される厚さｔ１を有する平板状に形成されている。マット部Ｐｍの第２の主面Ｓｂ（以降、「設置面Ｓｂ」）は、吸水シート保持マットＭを設置する場所に接する面である。保持部Ｐｒは、所定の高さｔ２を有するブロック状に形成されており、載置面Ｓｔ上にあるいはマット部Ｐｍに隣接して１つ以上設けられている。設置面Ｓｂより所定の距離ｔ３（ｔ３＝ｔ１＋ｔ２）の高さにある保持部Ｐｒの上面には、切り込みＳが設けられている。
【００１５】
なお、図１においては、吸水シートＳａ及びマット部Ｐｍは矩形状に表現されているが、それぞれ任意の形状であってもよい。マット部Ｐｍの内形状は基本的に、吸水シートＳａの外形状より大きく構成される。なお、保持部Ｐｒは、吸水シートＳａを載置面Ｓｔ上に載置したときに、吸水シートＳａの外縁より所定の距離Ｌ（図３）だけ内部の位置に設けられる。但し、本明細書においては、説明の便宜上図１に示されるように、吸水シートＳａ及びマット部Ｐｍが矩形状であるものとする。この場合、載置された吸水シートＳａはその四隅の先端部の少なくとも一部が所定の長さＬだけ切り込みＳに挿入されるように配置される。
【００１６】
上述のように、吸水シート保持マットＭにおいては、上面に切り込みＳが設けられた保持部Ｐｒ（固定具）をマット部Ｐｍ（ペット用トイレマット）と別体とせずに、マット部Ｐｍの載置面Ｓｔより上の位置に配設している。結果、吸水シートＳａの着脱の度に、保持部Ｐｒを取り外し及び取り付ける作業を不要とすると共に、洗浄の際に保持部Ｐｒの紛失のおそれを無くしている。吸水シートＳａの保持は、保持部Ｐｒの上面の切り込みＳに吸水シートＳａの一部を挿入することにより行われるので、切り込みＳと吸水シートＳａの挿入部の両方を目視で容易に確認しながら、吸水シートＳａの保持（挿入）作業を容易にかつ確実に行える。また、切り込みＳが設けられた保持部Ｐｒの上面との摩擦及び噛み込みによって吸水シートＳａが保持されるので、保持力確保のための固定具の重量化や磁力強化が不要である。
【００１７】
さらに、保持部Ｐｒの位置は、吸水シートＳａの外形より内側であれば良く、マット部Ｐｍの大きさは基本的に、保持対象の吸水シートＳａの大きさより大きいので、保持する吸水シートＳａの最大のものよりマット部Ｐｍを大きめに作成し、保持部Ｐｒは保持する吸水シートＳａの最大から最小に至るまでの範囲内に複数個設けることにより、一つのマット部Ｐｍで全ての大きさの吸水シートＳａを保持できる。
【００１８】
なお、吸水シート保持マットＭは、防水性及び可撓性を有する素材で構成される。防水性は液体を通さない為に要求され、可撓性は吸水シート保持マットＭが設置される面の形状に沿って変形して安定的に吸水シートＳａの保持を図るために要求される性質である。吸水シート保持マットＭの素材はさらに、安全性及び耐食性を有することが好ましい。安全性は、上述の従来のペット用トイレマットと同じ用途に用いた場合に、ペットが嘗める場合を考慮したものである。耐食性も触れる液体（例えば、ペットの尿など）に耐える必要があるからである。なお、本実施の形態において、吸水シート保持マットＭはシリコンゴムで構成されている。
【００１９】
（実施の形態１）
以下に図２、図３、図４、図５、図６、図７、図８、図９、図１０、図１１、図１２、図１３、及び図１４を参照して、本発明の実施の形態１に係る吸水シート保持マットについて説明する。図２は、吸水シート保持マットＭ１の使用時の状態を示している。吸水シート保持マットＭ１は、マット部Ｐｍ及び保持部Ｐｒがそれぞれマット部Ｐｍ１及び保持部Ｐｒ１に置き換えられる点を除いて上述の吸水シート保持マットＭと同様に構成されている。以降、マット部Ｐｍ１及び保持部Ｐｒ１に関して重点的に述べる。
【００２０】
マット部Ｐｍ１は、上述のマット部Ｐｍの載置面Ｓｔの辺縁から概ね垂直方向に所定の高さＨ１だけ立ちあがるマット縁部Ｒｍが一体的に設けられている。このようにして、マット部Ｐｍ１は載置面Ｓｔを底部とし、マット縁部Ｒｍを周壁とする浅鍋状に形成されている。このように形成されたマット部Ｐｍ１は、浅鍋状の構造の内部に、吸水シートにより吸収されなかった液体を保持することができる。
【００２１】
マット部Ｐｍ１は、マット部Ｐｍにマット縁部Ｒｍと保持部Ｐｒとを接着して作成しても良いが、マット部Ｐｍと保持部Ｐｒとが一体的に成形されることが好ましい。マット部Ｐｍ１において、マット縁部Ｒｍは、Ｈ１＝ｔ２の関係を満たすように構成されている。
【００２２】
保持部Ｐｒ１は、マット部Ｐｍ１における配設位置を除いて、保持部Ｐｒと同様に構成されている。保持部Ｐｒ１の配設位置は、保持対象の吸水シートＳａ１の構成に対応して定められている。よって、保持部Ｐｒ１の配設位置について説明する前に、吸水シートＳａ１の構成について以下に説明する。
【００２３】
吸水シートＳａ１は、吸水に供される領域（以下、「吸水エリア」）Ｓｐａとシート縁部Ｓｐｒとを含む。吸水エリアＳｐａは、吸水シートＳａ１の輪郭より小さい所定の多角形輪郭を有し、吸水シートＳａ１のほぼ中央部に設けられている。シート縁部Ｓｐｒの幅、つまり吸水エリアＳｐａから吸水シートＳａ１の外縁までの距離をシート縁幅Ｌｐｒとする。本実施の形態においては、吸水エリアＳｐａは短辺Ｌｓｓａと長辺Ｌｌｓａとで規定される矩形状である。シート縁部Ｓｐｒは、吸水エリアＳｐａを囲むように設けられている。吸水シートＳａ１の表面は不織布等の液体を浸透させる素材で構成され、裏面はナイロンやビニール等の液体を浸透させない素材で構成される。吸水エリアＳｐａは、高分子ポリマー等の吸収材を含む。
【００２４】
吸水シートＳａ１は市販のものを使用することができる。市販の吸水シートは、そのサイズによって２つに大別され、レギュラーサイズの吸水シートと、レギュラーサイズより大きいワイドサイズの吸水シートとがある。レギュラーサイズの吸水シートＳａ１の大きさ（外形）は、矩形状の短辺Ｌｓｓが３１０ｍｍ〜３３０ｍｍ、長辺Ｌｌｓが４４０ｍｍ〜４５０ｍｍ程度である。ワイドサイズの吸水シートＳａ１の大きさ（外形）は、矩形状の短辺Ｌｓｓが４３０ｍｍ〜４５０ｍｍ、長辺Ｌｌｓが５９０ｍｍ〜６００ｍｍ程度である。なお、シート縁部Ｓｐｒの幅Ｌｐｒは通常２０ｍｍ〜３０ｍｍ程度である。
【００２５】
吸水エリアＳｐａは吸水シートＳａ１の外形に対してほぼ同心状に位置している。吸水シートＳａ１は４つの隅部Ｓｐｃを有する。隅部Ｓｐｃにおける吸水エリアＳｐａの角と吸水シートＳａ１の角とを結ぶ線を連結線Ｌａｒとし、その長さを離間距離Ｄａｒとすると、保持部Ｐｒ１は吸水シートＳａ１を載置面Ｓｔ上に載置した際に以下に述べる位置に配設されることが望ましい。つまり、保持部Ｐｒ１（スリット部Ｓ）の中心が吸水エリアＳｐａの角に対応する位置が望ましく、連結線Ｌａｒの延長上で吸水シートＳａ１の中心側への若干の変位は許容されるが、遠心方向（吸水シートＳａ１の外形側）への変位は好ましくない。
【００２６】
保持部Ｐｒ１は、上述のように構成された吸水シートＳａ１がその裏面がマット部Ｐｍ１の載置面Ｓｔに接するように載置され、吸水シートＳａ１の表面の吸水エリアＳｐａが保持部Ｐｒ１によって隠されることがないような位置に配設される。具体的には、先ず、マット部Ｐｍ１の載置面Ｓｔ上に吸水シートＳａ１の裏面を敷いた後に、吸水シートＳａ１の隅部Ｓｐｃの少なくとも一部を保持部Ｐｒ１のスリット部Ｓに挿入する。隅部Ｓｐｃをスリット部Ｓに挿入することにより、吸水シートＳａ１は吸水シート保持マットＭ１上に位置決めされて保持される。なお、シート縁部Ｓｐｒにおいて、スリット部Ｓによって保持されていない部分は、載置面Ｓｔに接するように垂れ下がることによって、吸水エリアＳｐａを囲むように立ち上がる。
【００２７】
シート縁部Ｓｐｒが吸水エリアＳｐａを囲むように立ち上がることにより、液体が吸水エリアＳｐａに対して垂直方向でない方向にかかった時や、吸水エリアＳｐａからの跳ね返りをシート縁部Ｓｐｒで抑える効果を意図して、保持部Ｐｒ１の配設位置は決定されている。
【００２８】
なお、保持部Ｐｒ１は少なくとも１つあれば、吸水シートＳａ１を吸水シート保持マットＭ１上に保持することができる。なお、ペットが吸水シート保持マットＭ１に乗るときにペットの足が吸水シートＳａ１にひっかかるのを防ぐために、吸水シートＳａ１の端部を保持することが好ましい。なお、保持部Ｐｒ１及びスリット部Ｓの形状について、後ほど図５、図６、図７、図８、図９、及び図１０を参照して詳述する。
【００２９】
次に、図２、図３及び図４を参照して、吸水シートＳａ１の寸法とマット部Ｐｍ１の寸法との関係について述べる。本実施の形態において、マット部Ｐｍ１の内形状は吸水シートＳａ１の外形状より大きく構成される。つまり、マット部Ｐｍ１の短辺Ｌｓｍ（内径）及び長辺Ｌｌｍ（内径）について、下記の数式（１）、（２）が成立する。
Ｌｓｍ≧Ｌｓｓ  ・・・（１）
Ｌｌｍ≧Ｌｌｓ  ・・・（２）
【００３０】
保持部Ｐｒ１は、吸水シートＳａ１を載置面Ｓｔ上に載置したときに、吸水シートＳａ１の外縁より所定の距離Ｌだけ内部の位置に設けられる。吸水シート保持マットＭ１においては、４個の保持部Ｐｒ１が、マット部Ｐｍ１の対角線上に概ね位置するように載置面Ｓｔ上に設けられている。吸水シートＳａ１を載置面Ｓｔ上に載置したときに、４個の保持部Ｐｒ１は、吸水シートＳａ１の４つの隅部Ｓｐｃにそれぞれ対応する位置にある。
【００３１】
保持部Ｐｒ１の外観は略円柱形状であり、載置面Ｓｔから所定の高さｔ２（図１）だけ略垂直方向に立ちあがっている。保持部Ｐｒ１の上面Ｓｒｕには、吸水シートＳａ１の一部が挿入されるスリット部Ｓが形成されている。隣接する２個の保持部Ｐｒ１、Ｐｒ１の中心間の距離は、吸水シートＳａ１の吸水エリアＳｐａの短辺Ｌｓｓａと長辺Ｌｌｓａとのいずれかの長さに略等しい。
【００３２】
図５、図６、図７、図８、図９、及び図１０を参照して、保持部Ｐｒ１及びスリット部Ｓの形状について詳述する。なお、図５は図３におけるＶ部の拡大平面図であって、ペット用吸水シート保持マットの保持部の一例を示し、図６は図５において、直線ＶＩ−ＶＩで切った保持部の断面構造を示し、そして図７は図６の保持部のスリット部を拡大して示している。図８は図５の保持部の異なる例の断面構造を示し、図９は図８の保持部のスリット部を拡大して示している。
【００３３】
図５、図６、及び図７に示される例においては、保持部Ｐｒ１は内径Ｄｉ、外径Ｄｏ、及び高さｔ２で規定され、円筒状に形成された周壁Ｗｒと、上面Ｓｒｕとを含む。保持部Ｐｒ１の内径Ｄｉは、人（吸水シート保持マットＭ１のユーザ）の指が入る程度の大きさであればよい。保持部Ｐｒ１の高さｔ２は、マット縁部Ｒｍの高さＨ１（以降、「マット縁部高Ｈ１」）と略等しい。本実施の形態において、保持部Ｐｒ１の内径Ｄｉは２４ｍｍ、外径Ｄｏは３０ｍｍに設定されている。
【００３４】
保持部Ｐｒ１の上面Ｓｒｕには、上述のようにスリット部Ｓが形成されている。スリット部Ｓは互いに交差する３本のスリットＳＬ１、ＳＬ２、及びＳＬ３からなる（図７）。スリットＳＬ１、ＳＬ２、及びＳＬ３によって、上面Ｓｒｕにおいて、６枚の爪Ｐｓｒｕが規定されている。スリットＳＬ１、ＳＬ２、及びＳＬ３の長さは２２ｍｍに設定され、且つ幅は０．５ｍｍ〜１ｍｍ程度に設定されている。各スリット両端の端部Ｐｅｓは、所定の曲率半径Ｒを有する円弧形状に形成されている。
【００３５】
爪Ｐｓｒｕの下面には、スリットＳＬ１、ＳＬ２、及びＳＬ３の端部Ｐｅｓと周壁Ｗｒとの間に、所定の高さｔｃ（図６）を有する環状（図７）のステップＳｃが設けられている。ステップＳｃは、周壁Ｗｒと爪Ｐｓｒｕの根元（周囲）との間の板圧を増すことにより、保持部Ｐｒ１の構造強度補強の機能を有している。つまり、スリット部Ｓに吸水シートＳａ１を挿入或いは取り出す時に爪Ｐｓｒｕが過度に変形するのを防止して、吸水シートＳａ１の着脱を確実にすると共に、端部Ｐｅｓの裂傷を防止する。また、仮に端部Ｐｅｓに裂傷が生じた場合にも、裂傷が広がるのを防止する。
【００３６】
保持部Ｐｒ１は可撓性を有する素材で構成されているので、スリットＳＬ１、ＳＬ２、及びＳＬ３からなるスリット部Ｓに対して、ユーザは容易に吸水シートＳａ１の端部を挿入できる。吸水シートＳａ１の端部と複数の爪Ｐｓｒｕとの間に摩擦力が働くことにより、吸水シートＳａ１は上面Ｓｒｕによって保持される。なお、各スリットの端部Ｐｅｓは所定の曲率半径Ｒを有する円弧形状に形成されているので、吸水シートＳａ１の着脱を繰り返しても、保持部Ｐｒ１の爪Ｐｓｒｕの根元での断裂が生じにくい。上述のステップＳｃと併せて、爪Ｐｓｒｕの断裂（裂傷）の防止が図られている。なお、保持部Ｐｒ或いは爪Ｐｓｒｕの強度が十分であれば、ステップＳｃは必ずしも設ける必要は無い。
【００３７】
上述のように構成されたスリット部Ｓ（保持部Ｐｒ１）に挿入された吸水シートＳａ１の端部に、マット部Ｐｍ１の載置面Ｓｔに略平行な方向の力が働いても、円筒形の周壁Ｗｒによって構造強度が与えられている爪Ｐｓｒｕとの摩擦及び噛み込みによって、吸水シートＳａ１がスリット部Ｓから抜けにくい。
【００３８】
図８及び図９に示す例においては、図５、図６、及び図７を参照して説明した保持部Ｐｒ１において、爪Ｐｓｒｕがその下面端部でリムＳｒで接続されて、リムＳｒが３本の非常に細いスリットＳＬ１、ＳＬ２、及びＳＬ３で切り分けられて構成されている。つまり、爪Ｐｓｒｕの二辺にリムＳｒが付加されている。これにより、爪Ｐｓｒｕが補強されると共に、爪Ｐｓｒｕ間の隙間を小さくできるので、吸水シートＳａ１を挿入或いは取り出す時に爪Ｐｓｒｕが過度に変形するのと防止して、吸水シートＳａ１の着脱を確実にする。
【００３９】
なお、保持部Ｐｒ１或いは爪Ｐｓｒｕの強度が十分であれば、リムＳｒは必ずしも設ける必要は無い。また、上述のステップＳｃとリムＳｒを一つの保持部Ｐｒ１に同時に設けてもよい。
【００４０】
保持部Ｐｒ１の形状（つまり、周壁Ｗｒ）は円筒形状に限定されず、スリット部Ｓが形成された上面と、上面を支持する側壁とを備えていればよい。図１０に示すように、保持部Ｐｒ１は四角柱や六角柱等の多角形柱状に形成してもよい。
【００４１】
また、スリット部Ｓを構成するスリットの本数は３本に限定されず、スリット部Ｓが複数の爪Ｐｓｒｕによって吸水シートＳａ１を保持できればよい。つまり、スリット部Ｓを構成するスリットは、少なくとも１本あればよい。スリットの本数の最大値は、上面Ｓｒｕの材質及び必要強度に基づいて適宜決定される。
【００４２】
次に、図１１及び図１２を参照して、吸水シート保持マットＭ１の第１の変形例について説明する。吸水シート保持マットＭ１がレギュラーサイズの１枚の吸水シートＳａ１に適用されるのと異なり、吸水シート保持マットＭ１ａは、その載置面Ｓｔ上にレギュラーサイズの２枚の吸水シートＳａ１ａ及びＳａ１ｂを、一部分が重なるように並べて保持した状態で使用される。あるいは、吸水シート保持マットＭ１ａは、その載置面Ｓｔ上に１枚のワイドサイズの吸水シートを保持した状態で使用してもよい。
【００４３】
吸水シート保持マットＭ１ａは、マット部Ｐｍ１がマット部Ｐｍ１ａに置き換えられると共に、保持部Ｐｒ１ａが追加されている点を除いて上述の吸水シート保持マットＭ１と同様に構成されている。以降、マット部Ｐｍ１ａ及び保持部Ｐｒ１ａに関して重点的に述べる。
【００４４】
保持部Ｐｒ１及び保持部Ｐｒ１ａの配設位置は、保持対象の２枚の吸水シートＳａ１ａ及びＳａ１ｂの構成に対応して定められている。吸水シートＳａ１ａ及びＳａ１ｂを載置面Ｓｔ上に載置した状態で、４個の保持部Ｐｒ１は、吸水シートＳａ１ａの２つの隅部Ｓｐｃと吸水シートＳａ１ｂの２つの隅部Ｓｐｃとにそれぞれ対応する位置に設けられている。保持部Ｐｒ１ａは、隣接する保持部Ｐｒ１、Ｐｒ１間を結ぶ線分の略中央に対応する位置に設けられている。
【００４５】
吸水シートＳａ１ａ及びＳａ１ｂを吸水シート保持マットＭ１ａに取り付ける場合、吸水シートＳａ１ａは、その４つの隅部Ｓｐｃが２個の保持部Ｐｒ１及び２個の保持部Ｐｒ１ａによって保持される。同様に、吸水シートＳａ１ｂは、その４つの隅部Ｓｐｃが２個の保持部Ｐｒ１及び２個の保持部Ｐｒ１ａによって保持される。
【００４６】
なお、１枚のワイドサイズの吸水シートを吸水シート保持マットＭ１ａに取り付ける場合は、吸水シートは、その４つの隅部Ｓｐｃが４個の保持部Ｐｒ１によって保持されると共に、その長辺の略中央位置が２個の保持部Ｐｒ１ａによって保持される。
【００４７】
次に、図１３を参照して、吸水シート保持マットＭ１の第２の変形例について説明する。吸水シート保持マットＭ１ｂは、図３及び図４を参照して説明した吸水シート保持マットＭ１において、マット部Ｐｍ１の対角線Ｌｏ上に複数の保持部Ｐｒ１が設けられている。これにより、異なる複数のサイズの吸水シートＳａ１を同一の吸水シート保持マットＭ１ｂで保持することができる。なお、吸水シートＳａ１がペットのトイレシートである場合には、ペットの成長と共により大きいサイズの吸水シートＳａ１を使用できる。
【００４８】
次に、図１４を参照して、吸水シート保持マットＭ１の第３の変形例について説明する。吸水シート保持マットＭ１ｃは、図１３を参照して説明した吸水シート保持マットＭ１ｂにおいて、対角線Ｌｏ上以外の位置に複数個の保持部Ｐｒ１が追加されている。これにより、異なる複数のサイズの吸水シートＳａ１を、同一の吸水シート保持マットＭ１ｃのマット部Ｐｍ１の様々な位置で異なる姿勢で保持することができる。
【００４９】
次に、図７７を参照して、吸水シート保持マットＭ１の第４の変形例について説明する。本変形例に掛かる吸水シート保持マットＭ１ｄは、保持部Ｐｒ１が保持部Ｐｒ１ｃに交換されている点を除いて、図３に示す吸水シート保持マットＭ１と同様に構成されている。図７７（ａ）は、保持部Ｐｒ１ｃを中心に、吸水シート保持マットＭ１ｄを斜めからみた様子を示す。図７７（ｂ）は、図７７（ａ）の吸水シート保持マットＭ１ｄを保持部Ｐｒ１ｃの上面から見た様子を示す。図７７（ｃ）は、保持部Ｐｒ１ｃを中心に吸水シート保持マットＭ１ｄを横からみた様子を示す。
【００５０】
図８を参照して説明したように、保持部Ｐｒ１（保持部Ｐｒ）は、スリット部Ｓが平面的に、より詳しく言えば、複数の爪Ｐｓｒｕが高さｔ２の位置に水平に延在している。これに対して、保持部Ｐｒ１ｃは、図７７から読み取れるように、平面的なスリット部Ｓの代わりに立体的に形成されたドーム状のスリット部Ｓｄが設けられている。
【００５１】
スリット部Ｓｄは、図７７（ｂ）に示すように、スリット部Ｓと同様に、スリットＳＬによって、複数の立体的な爪Ｐｓｒｕｄに分割されている。なお、スリット部Ｓｄの頂点（爪Ｐｓｒｕｄの先端）は高さｔ２に位置し、底部（爪Ｐｓｒｕｄの根元）は所定の高さｔ２ｂ（ｔ２＞ｔ２ｂ）に位置している。爪Ｐｓｒｕｄは周壁Ｗｒの上端部より所定の距離Ｌ２だけ上方に張り出している。つまり、円筒状の周壁Ｗｒの上端部がドーム状のスリット部Ｓｄ（爪Ｐｓｒｕｄ）として形成されているとも言える。
【００５２】
吸水シートＳａの吸水シート保持マットＭ１ｄへの取り付けは、以下の如く行われる。吸水シートＳａの四隅の先端部の少なくとも一部が、スリット部Ｓｄの頂点（爪Ｐｓｒｕｄの先端）からスリット部Ｓに所定長Ｌだけ挿入される。爪Ｐｓｒｕが平面的に形成されているのに対して、爪Ｐｓｒｕｄは上面が凸状で下面が凹状に形成されている。そのために、吸水シートＳａを保持部Ｐｒ１ｃの上面Ｓｒｕｄから挿入する時に、爪Ｐｓｒｕｄは下側（マット部Ｐｍ１）に向かっての変形は容易であるが、吸水シートＳａを引き上げて取りはずす場合は、爪Ｐｓｒｕｄは上側（爪Ｐｓｒｕｄを裏返す方向）に変形させることになる。よって、一端取り付けられた吸水シートＳａの不用意に取りはずされる事態が防止される効果がある。
【００５３】
なお、上述のように、爪Ｐｓｒｕｄは、閉鎖空間である周壁Ｗｒの開放端（上端）より上方（開放空間）に、所定距離Ｌ２だけ張り出している。よって、吸水シートＳａの端部をスリット部Ｓｄに挿入するために、指で爪Ｐｓｒｕｄを下方に変形させる際に、周壁Ｗｒで邪魔されることなく所定距離Ｌ２を容易に押し込むことができる。
【００５４】
なお、本明細書において、各実施形態或いは変形例において保持部Ｐｒ１或いはその変形例が例示されている。それらの実施の形態或いは変形例の何れにおいても、保持部Ｐｒ１或いはその変形例の代わりに保持部Ｐｒ１ｃを用いることが出来る。
【００５５】
（実施の形態２）
以下に図１５、図１６、図１７、図１８、及び図１９を参照して、本発明の実施の形態２に係る吸水シート保持マットについて説明する。図１５及び図１６に示す吸水シート保持マットＭ２は、マット部Ｐｍ１及び保持部Ｐｒ１がそれぞれマット部Ｐｍ２及び保持部Ｐｒ２に置き換えられる点を除いて上述の吸水シート保持マットＭ１と同様に構成されている。なお、本実施の形態に於ける保持部Ｐｒ２は、簡単に言えば、上述の保持部Ｐｒ１が２つ隣接して構成されており、その結果吸水シート保持マットＭ２には２つの保持部Ｐｒ１を連接する通路が設けられている点に特徴がある。以降、マット部Ｐｍ２及び保持部Ｐｒ２に関して重点的に述べる。
【００５６】
保持部Ｐｒ２は、複数（図示例では２つ）のスリット部Ｓ１及びＳ２が近接して設けられている。なお、スリット部Ｓ１及びＳ２は、上述のスリット部Ｓと基本的に同様に構成されている。つまり、スリット部Ｓ１は、内径Ｄｉ１及び外径Ｄｏ１（図１７）で規定された円筒状の周壁Ｗｒ１に支持された上面Ｓｒｕ１に設けられている。同様に、スリット部Ｓ２は、内径Ｄｉ２及び外径Ｄｏ２（図１７）で規定された円筒状の周壁Ｗｒ２に支持された上面Ｓｒｕ２に設けられている。なお、スリット部Ｓ１とスリット部Ｓ２の中心が、マット部Ｐｍ２の対角線上に周壁Ｗｒ１と周壁Ｗｒ２とが点接触するように配置されている。つまり、本実施の形態における保持部Ｐｒ２は、２つの保持部Ｐｒ１（実施の形態１）が対角線上に周壁Ｗｒ１と周壁Ｗｒ２とが接触するように配置されていると言える。
【００５７】
図１７に、マット部Ｐｍ２の設置面Ｓｂ側から見た保持部Ｐｒ２を示す。上述のように、周壁Ｗｒ１と周壁Ｗｒ２とは隣接している。なお、周壁Ｗｒ１の爪Ｐｓｒｕ１との間にはステップＳｃ１が設けられ、周壁Ｗｒ２の爪Ｐｓｒｕ２との間にはステップＳｃ２が設けられていることは、上述の保持部Ｐｒ１におけるのと同様である。そして、同隣接部の下部に位置する部分のマット部Ｐｍ２と、近接部の周壁Ｗｒ１及びＷｒ２とが、マット部Ｐｍ２の設置面Ｓｂから上面Ｓｒｕ１及びＳｒｕ２の下面まで除去されて通路Ｐａｓが形成されている。但し、爪Ｐｓｒｕ１及び爪Ｐｓｒｕ２は、それぞれ、ステップＳｃ１及びステップＳｃ２によって囲まれている。
【００５８】
つまり、周壁Ｗｒ１及び周壁Ｗｒ２によってそれぞれ規定される空間は、通路Ｐａｓによって連通されている。通路Ｐａｓによって、爪Ｐｓｒｕ１と爪Ｐｓｒｕ２の周壁Ｗｒ１と周壁Ｗｒ２は取り除かれているが、ステップＳｃ１及びステップＳｃ２とが設けられている。つまり、通路Ｐａｓにおける周壁Ｗｒ１及びＷｒ２の除去による保持部Ｐｒ２の強度低下がステップＳｃ１及びＳｃ２によって補われている。結果、スリット部Ｓ１及びＳ２に吸水シートＳａ１を挿入或いは取り出す時に爪Ｐｓｒｕ１及びＰｓｒｕ２が過度に変形するのを防止して、吸水シートＳａ１の着脱を確実にすると共に、端部Ｐｅｓ１或いはＰｅｓ２の裂傷を防止する。また、仮に端部Ｐｅｓ１或いはＰｅｓ２に裂傷が生じた場合にも、裂傷が広がる（特に端部Ｐｅｓ１及び端部Ｐｅｓ２に渡って）のを防止する。
【００５９】
なお、周壁Ｗｒ１及びＷｒ２それぞれの内径Ｄｉ１及びＤｉ２は、人（ユーザ）の指が入る程度の大きさであればよい。図示例においては、Ｄｉ１＞Ｄｉ２となっているがこれに限られない。通路Ｐａｓは、吸水シートＳａ１の端部を通せる程度の幅を有している。
【００６０】
スリット部Ｓ１及びＳ２のうち、スリット部Ｓ１のマット部Ｐｍ２における配設位置は、保持部Ｐｒ１のスリット部Ｓの配設位置と同様に決定される。つまり、隣接する２つのスリット部Ｓ１、Ｓ１の中心間の距離は、吸水シートＳａ１の吸水エリアＳｐａの短辺Ｌｓｓａと長辺Ｌｌｓａとのいずれかの長さに略等しい。スリット部Ｓ２は、スリット部Ｓ１に隣接して、スリット部Ｓ１の配設位置から遠心方向（吸水シートＳａ１の外形側）へ変位した位置に配設されている。
【００６１】
上述のように構成された吸水シート保持マットＭ２に、吸水シートＳａ１を取り付ける手順を簡単に説明する。先ず、マット部Ｐｍ２の載置面Ｓｔ上に吸水シートＳａ１の裏面を敷いた後に、吸水シートＳａ１の隅部Ｓｐｃの少なくとも一部を保持部Ｐｒ２のスリット部Ｓ１に挿入する。次に、スリット部Ｓ１に挿入された隅部Ｓｐｃを通路Ｐａｓに通し、その後隅部Ｓｐｃを設置面Ｓｂ側から載置面Ｓｔ側に向かってスリット部Ｓ２に挿入する。このように、スリット部Ｓ２にはシート縁部Ｓｐｒ（吸水シートＳａ１）の先端部が挿入され、スリット部Ｓ１にはシート縁部Ｓｐｒの吸水エリアＳｐａの近傍部が挿入されることを考慮して、Ｄｉ１＞Ｄｉ２である例が図１７に示されている。上述の取り付け手順については、後ほど図２６を参照して詳しく説明する。なお、保持部Ｐｒ２或いは爪Ｐｓｒｕ１及びＰｓｒｕ２の強度が十分であれば、ステップＳｃ１或いはＳｃ２は必ずしも設ける必要は無い。また、保持部Ｐｒ２のスリット部Ｓ１及びスリット部Ｓ２の何れか一方或いは両方を、図５、図８、及び図９を参照して説明したリムＳｒを有するものとしてもよい。
【００６２】
次に、図１８及び図１９を参照して、吸水シート保持マットＭ２の変形例について説明する。吸水シート保持マットＭ２ａは、図１１及び図１２を参照して説明した吸水シート保持マットＭ１ａと同様に、その載置面Ｓｔ上にレギュラーサイズの２枚の吸水シートＳａ１ａ及びＳａ１ｂを、一部分が重なるように並べて保持した状態で使用される。あるいは、吸水シート保持マットＭ２ａは、その載置面Ｓｔ上に１枚のワイドサイズの吸水シートを保持した状態で使用してもよい。
【００６３】
吸水シート保持マットＭ２ａは、マット部Ｐｍ２がマット部Ｐｍ２ａに置き換えられると共に、保持部Ｐｒ２ａが追加されている点を除いて上述の吸水シート保持マットＭ２と同様に構成されている。以降、マット部Ｐｍ２ａ及び保持部Ｐｒ２ａに関して重点的に述べる。
【００６４】
保持部Ｐｒ２及び保持部Ｐｒ２ａの配設位置は、保持対象の２枚の吸水シートＳａ１ａ及びＳａ１ｂの構成に対応して定められている。吸水シートＳａ１ａ及びＳａ１ｂを載置面Ｓｔ上に載置した状態で、４個の保持部Ｐｒ２は、それぞれのスリット部Ｓ１が、吸水シートＳａ１ａの２つの隅部Ｓｐｃと吸水シートＳａ１ｂの２つの隅部Ｓｐｃとにそれぞれ対応するように配設されている。
【００６５】
保持部Ｐｒ２ａは、それぞれのスリット部Ｓ１が、隣接する保持部Ｐｒ２、Ｐｒ２それぞれのスリット部Ｓ１間を結ぶ線分の略中央に対応する位置に設けられている。スリット部Ｓ２は、スリット部Ｓ１に隣接して、スリット部Ｓ１の配設位置から遠心方向（吸水シートＳａ１の外形側）へ変位した位置に配設されている。
【００６６】
（実施の形態３）
以下に図２０、図２１、図２２、図２３、図２４、図２５、図２６、図２７、図２８、図２９、図３０、図３１、及び図３２を参照して、本発明の実施の形態３に係る吸水シート保持マットについて説明する。図２７は、吸水シート保持マットＭ３の使用時の状態を示している。吸水シート保持マットＭ３は、マット部Ｐｍ２及び保持部Ｐｒ２がそれぞれマット部Ｐｍ３及び保持部Ｐｒ３に置き換えられる点を除いて上述の吸水シート保持マットＭ２と同様に構成されている。以降、マット部Ｐｍ３及び保持部Ｐｒ３に関して重点的に述べる。
【００６７】
図２０及び図２１に示されるように、保持部Ｐｒ３は、複数（図示例では２つ）のスリット部Ｓ３及びＳ４が一体的に形成されている。これにより、上述の保持部Ｐｒ２のスリット部Ｓ１及びＳ２の中心間距離よりも、スリット部Ｓ３及びＳ４の中心間距離を小さくし、外側のスリット部Ｓ４に挿入される吸水シートＳａ１（シート縁部Ｓｐｒ）の長さをより長く確保している。
【００６８】
そのために、図２２及び図２３に見て取れるように、スリット部Ｓ３及びＳ４は、それぞれの周壁Ｗｒ３及びＷｒ４の一部を共有するように隣接して設けられている。共有化された周壁Ｗｒ３（或いは周壁Ｗｒ４）の分だけ、スリット部の中心間距離が短くなっている。但し、共有化により周壁Ｗｒ３及び周壁Ｗｒ４の総合強度は、実施の形態２における周壁Ｗｒ１及び周壁Ｗｒ２の総合強度に比べて若干低下する。
【００６９】
図２３に、マット部Ｐｍ３の設置面Ｓｂ側から見た保持部Ｐｒ３を示す。上述のように、周壁Ｗｒ３と周壁Ｗｒ４とは一部共有化されている。この共有部の一部が、マット部Ｐｍ３の設置面Ｓｂから上面Ｓｒｕ３及びＳｒｕ４の下面まで除去されて通路Ｐａｓが形成されている（図２４）。そして、周壁Ｗｒ３及び周壁Ｗｒ４の外周に対する共通接線を外辺として周壁Ｗｒ３と周壁Ｗｒ４を一体的に接続する壁Ｗｂ１及びＷｂ２が設けられている。通路Ｐａｓに対して垂直方向に切った保持部Ｐｒ３の断面形状を示す図２５において、壁Ｗｂ１、共有部Ｗｒｃ、及び壁Ｗｂ２が読み取れる。
【００７０】
つまり、壁Ｗｂ１と共有部Ｗｒｃとの間及び共有部Ｗｒｃと壁Ｗｂ２との間には、図２３に示されるように壁Ｗｂ１と共有部Ｗｒｃ、及び共有部Ｗｒｃと壁Ｗｂ２とによるトラス構造が形成されている。このトラス構造により保持部Ｐｒ３の補強がなされている。なお、壁Ｗｂ１と共有部Ｗｒｃ及び共有部Ｗｒｃと壁Ｗｂ２とによるトラス構造の代わりに、壁Ｗｂ１と共有部Ｗｒｃとの間及び共有部Ｗｒｃと壁Ｗｂ２との間に空間を設けない（つまり、図２５において、空間は通路Ｐａｓのみとなる）ように構成してもよい。
【００７１】
このように構成されることによって、ステップＳｃ３及びＳｃ４と壁Ｗｂ１及びＷｂ２によって、周壁Ｗｒ３及びＷｒ４の共有化および、周壁Ｗｒ３及びＷｒ４の共有化部分の除去による周壁Ｗｒ３及びＷｒ４の総合強度低下が補償されている。結果、スリット部Ｓ３とＳ４との離間距離を短く設定することにより、吸水シートＳａ１のスリット部Ｓ４への挿入量を確保しつつ、端部Ｐｅｓ３或いはＰｅｓ４の裂傷が防止される。また、仮に端部Ｐｅｓ３或いはＰｅｓ４に裂傷が生じた場合にも、裂傷の広がり（特に端部Ｐｅｓ３及び端部Ｐｅｓ４に渡る）が防止される。
【００７２】
次に、図２６及び図２７を参照して、吸水シート保持マットＭ３に吸水シートＳａ１を保持する方法について具体的に述べる。図２６においては、吸水シートＳａ１の保持作業がＰ１、Ｐ２、Ｐ３、及びＰ４の４つの段階に分けて示されている。先ず、第１段階Ｐ１において、吸水シートＳａ１をマット部Ｐｍ３の載置面Ｓｔに置く。吸水シートＳａ１のシート縁部Ｓｐｒの角の先端を、保持部Ｐｒ３の上面Ｓｒｕ３からスリット部Ｓ３に押し込む。
【００７３】
第２段階Ｐ２において、マット部Ｐｍ３を折り曲げて設置面Ｓｂを上向きにする。そして、上面Ｓｒｕ３から押し込まれたシート縁部Ｓｐｒの先端部を、吸水エリアＳｐａの角がスリット部Ｓ３の中心付近に到達するまで、スリット部Ｓ３から引き出す。
【００７４】
第３段階Ｐ３において、引き出されたシート縁部Ｓｐｒの先端部を通路Ｐａｓを介してスリット部Ｓ４側に導く。そして、導かれたシート縁部Ｓｐｒの先端部をスリット部Ｓ４に押し込む。
【００７５】
第４段階Ｐ４において、第２段階Ｐ２で折り曲げられたマット部Ｐｍ３を伸ばし直して、載置面Ｓｔ側を上向きにする。そして、スリット部Ｓ４の上面から、シート縁部Ｓｐｒが通路Ｐａｓの内部に収容されるように、第３段階で押し込まれたシート縁部Ｓｐｒの先端を引き出す。
【００７６】
上述の４段階Ｐ１〜Ｐ４を経た結果、図２７に示すように、吸水エリアＳｐａの周囲でシート縁部Ｓｐｒが起立した状態で、吸水シートＳａ１がマット部Ｐｍ３に保持される。なお、設置面Ｓｂ側に回されたシート縁部Ｓｐｒは通路Ｐａｓの内部に収容されるので、マット部Ｐｍ３（設置面Ｓｂ）と床やテーブルとがシート縁部Ｓｐｒによって離反させられることなく、つまりシート縁部Ｓｐｒによってマット部Ｐｍ３が変形することがない。結果、吸水シート保持マットＭ３（マット部Ｐｍ３）は床やテーブルに沿った状態で載置されるので、保持した吸水シートＳａ１を変形させたり、床やテーブル上を滑ったりすることが防止される。
【００７７】
次に、図２８を参照して、上述のように吸水シート保持マットＭ３に取り付けられた吸水シートＳａ１（図２７）の取り付け強度について述べる。なお、同実験の結果は、吸水シートＳａ１を引っ張って取り外すために必要な力（引張張力）は、スリット部Ｓ３のみに吸水シートＳａ１を取り付けた場合の平均値は２０６ｇｆであり、スリット部Ｓ３及びＳ４の両方に吸水シートＳａ１を取り付けた場合の平均値は４５３．５ｇｆであった。これより、スリット部Ｓ３のみでも吸水シートＳａ１を十分な力で保持できることが確認された。
【００７８】
次に、図２９及び図３０を参照して、吸水シート保持マットＭ３の第１の変形例について説明する。吸水シート保持マットＭ３ａは、図１８及び図１９を参照して説明した吸水シート保持マットＭ２ａにおいて、保持部Ｐｒ２が保持部Ｐｒ３に置き換えられている。
【００７９】
次に、図３１を参照して、吸水シート保持マットＭ３の第２の変形例について説明する。吸水シート保持マットＭ３ｂは、図２０及び図２１を参照して説明した吸水シート保持マットＭ３において、マット部Ｐｍ３の対角線Ｌｏ上に複数の保持部Ｐｒ３が設けられている。これにより、異なる複数のサイズの吸水シートＳａ１を同一の吸水シート保持マットＭ３ｂで保持することができる。なお、吸水シートＳａ１がペットのトイレシートである場合には、ペットの成長と共により大きなサイズの吸水シートＳａ１を使用できる。
【００８０】
次に、図３２を参照して、吸水シート保持マットＭ３の第３の変形例について説明する。吸水シート保持マットＭ３ｃは、図３１を参照して説明した吸水シート保持マットＭ３ｂにおいて、対角線Ｌｏ上以外の位置に複数個の保持部Ｐｒ３が追加されている。異なる複数のサイズの吸水シートＳａ１を、同一の吸水シート保持マットＭ３ｃのマット部Ｐｍ３の様々な位置で異なる姿勢で保持することができる。
【００８１】
（実施の形態４）
図３３を参照して、本発明の実施の形態４に係る吸水シート保持マットについて説明する。吸水シート保持マットＭ４は、マット部Ｐｍ１がマット部Ｐｍ４に置き換えられる点を除いて上述の吸水シート保持マットＭ１と同様に構成されている。マット部Ｐｍ４は簡単に言えば、その外形状が吸水シートＳａ１の外形状より小さく構成される。保持部Ｐｒ１は、上面Ｓｒｕが載置面Ｓｔよりも上に位置するように、マット部Ｐｍ４の外周縁部に隣接或いは近接して設けられている。
【００８２】
結果、同一のサイズの吸水シートＳａ１を、マット部Ｐｍ１に比べてより小さなマット部Ｐｍ４で保持できる。なお、保持部Ｐｒ１とマット部Ｐｍ４の外周縁部とは、先に図２２を参照して説明したように、それぞれの周壁の一部を共有するように構成されてもよい。さらに、上述の実施の形態２及び３とその変形例に係る吸水シート保持マットＭ２、Ｍ２ａ、Ｍ３、Ｍ３ａ、Ｍ３ｂ、及びＭ３ｃの何れにおいても、保持部Ｐｒ２及びＰｒ３を本実施の形態に於けるのと同様に、マット部Ｐｍ２及びＰｍ３の外周縁部に隣接或いは近接して設けてもよい。
【００８３】
（実施の形態５）
図３４を参照して、本発明の実施の形態５に係る吸水シート保持マットについて説明する。吸水シート保持マットＭ５は、上述の吸水シート保持マットＭ４のマット部Ｐｍ４のマット縁部Ｒｍの内周縁部にも隣接して保持部Ｐｒ１が設けられている。結果、吸水シート保持マットＭ４に比べて、若干サイズが小さい吸水エリアＳｐａを有する吸水シートＳａ１も保持できる。
【００８４】
なお、保持部Ｐｒ１とマット部Ｐｍ４のマット縁部Ｒｍとは、先に図２２を参照して説明したように、それぞれの周壁の一部を共有するように構成されてもよい。さらに、先に図１７を参照して説明したように、互いに隣接する保持部Ｐｒ１及びＰｒ１の下部に位置する部分のマット部Ｐｍ４と、保持部Ｐｒ１及びＰｒ１それぞれの周壁の一部とを除去して、保持部Ｐｒ１及びＰｒ１それぞれの内部空間同士を連通させる通路を設けてもよい。
【００８５】
（実施の形態６）
図３５を参照して、本発明の実施の形態６に係る吸水シート保持マットについて説明する。本実施の形態に係る吸水シート保持マットＭ６は、上述の実施の形態１、２、及び３とその変形例に係る吸水シート保持マットＭ１、Ｍ１ａ、Ｍ１ｂ、Ｍ１ｃ、Ｍ２、Ｍ２ａ、Ｍ３、Ｍ３ａ、Ｍ３ｂ、及びＭ３ｃにおける、保持部Ｐｒ１、Ｐｒ２、及びＰｒ３の設置面Ｓｂにおける開口部が封止されている。具体的には、封止する開口部あるいは周壁Ｗｒの内形状に勘合するキャップＣによって封止されている。図３５に、図８に示した吸水シート保持マットＭ１における保持部Ｐｒ１の開口部がキャップＣによって封止されている状態を示す。これにより、吸水エリアＳｐａで受け切れなかった液体がスリット部Ｓを介してマット部Ｐｍ１を通り越して、吸水シート保持マットＭ１が載置されている机などを濡らしてしまうことが防止できる。
【００８６】
なお、キャップＣの内部は、スリット部Ｓを介して水洗いできる。さらに、必要に応じて、キャップＣは取り外して洗うことができる。
【００８７】
（実施の形態７）
図３６、図３７、及び図３８を参照して、本発明の実施の形態７に係る吸水シート保持マットについて説明する。以下に、本実施の形態に係る吸水シート保持マットＭ７を、図２〜図９を参照して説明した実施の形態１に係る吸水シート保持マットＭ１と比較して説明する。図３に示されるように、上述の吸水シート保持マットＭ１においては、マット部Ｐｍ１の全周に渡ってマット縁部Ｒｍが設けられており、マット部Ｐｍ１の載置面Ｓｔ上に保持部Ｐｒ１が設けられている。これに対して、本実施の形態に係る吸水シート保持マットＭ７においては、図３６に示すように、保持部Ｐｒ７が載置面Ｓｔ上にはなく、マット部Ｐｍ７の周縁部に設けられているマット縁部Ｒｍ７に一体的に設けられている。図３７に示すように、保持部Ｐｒ７の周縁部は、好ましくは、所定の曲率半径Ｒを有するなだらかな形状にて形成されている。
【００８８】
保持部Ｐｒ７の上面Ｓｒｕに対して垂直なスリット部Ｓの中心軸をスリット中心軸Ａｃｓ（図３７）とし、スリット中心軸Ａｃｓを二点鎖線で結ぶと矩形の領域Ｒｐａが規定される。図２６及び図２７を参照して説明したように、吸水シートＳａ１の吸水エリアＳｐａの角がスリット部Ｓの中心部に位置し、吸水エリアＳｐａの周囲のシート縁部Ｓｐｒが起立した状態で、吸水シートＳａ１がマット部Ｐｍ７に保持される。つまり領域Ｒｐａの輪郭は、保持された吸水シートＳａ１において、平坦に保持される吸水エリアＳｐａと、起立した状態に保持されるシート縁部Ｓｐｒとの境界線に対応する。この意味において、領域Ｒｐａを吸水領域Ｒｐａと称し、吸水領域Ｒｐａとマット縁部Ｒｍ７との間をシート縁部起立領域Ｒｐｒと称する。
【００８９】
図３６において、保持部Ｐｒ７上に保持部Ｐｒ１を二点鎖線で示しているように、保持部Ｐｒ７は保持部Ｐｒ１より外周部Ｐｅ７だけ大きく形成されている。つまり、保持部Ｐｒ７は、保持部Ｐｒ７の円形輪郭の内部で、保持部Ｐｒ１の円形輪郭が吸水シート保持マットＭ７の中心側に偏心した状態に構成されている。
【００９０】
次に、図３７及び図３８を参照して、保持部Ｐｒ７、マット縁部Ｒｍ７、及びシート縁部起立領域Ｒｐｒについて説明する。図３７は、図３６においてマット縁部Ｒｍ７を中心に吸水シート保持マットＭ７を切断した様子を示す。図３８は、図３６において保持部Ｐｒ７のスリット中心軸Ａｃｓで吸水シート保持マットＭ７を切断した様子を示す。
【００９１】
図３７において、マット縁部Ｒｍ７の右側に、マット縁部Ｒｍ７より（マット部Ｐｍ７の）外部に位置する保持部Ｐｒ７の端部が見えている。同部分において、外周部から二点鎖線までの所定の幅Ｗｅ７に渡る部分が上述の外周部Ｐｅ７である。保持部Ｐｒ７においては、外周部Ｐｅ７は高さＴ３を有し、外周部Ｐｅ７の上面と周壁Ｗｒの上面とは面一に構成されている。
【００９２】
なお、保持部Ｐｒ７は、その略円形輪郭の中心が保持部Ｐｒ１の円形輪郭の中心と略一致する状態に構成してもよい。その場合、外周部Ｐｅ７の上面はマット部Ｐｍ７の中心から外周部に向かって傾斜すると共に、その幅が上端部から下端部に向けて大きくなるように構成することが好ましい。
【００９３】
マット縁部Ｒｍ７は、載置面Ｓｔに対して概ね垂直（θ＝９０°）に高さＨ１（５ｍｍ≦Ｈ１≦１５ｍｍ）だけ立ちあがって、保持部Ｐｒ７間を一体的に接続している。なお、マット縁部Ｒｍ７の先端部は曲線状に形成されている。マット縁部Ｒｍ７の厚さをＴｅ（以降、「マット縁部厚Ｔｅ」）とし、マット縁部Ｒｍ７の内部（載置面Ｓｔ）に面している側（図３７において左側）を内周面Ｓｉとし、吸水シート保持マットＭ７の外部に面している側（図３７において右側）を外周面Ｓｏとし、スリット中心軸Ａｃｓから内周面Ｓｉまでの距離をＬｅｉとし、スリット中心軸Ａｃｓから外周面Ｓｏまでの距離をＬｅｏ（以降、「中心軸−外周面間距離Ｌｅｏ」）とすると、保持部Ｐｒ１の内径Ｄｉ及び外径Ｄｏとの間には、次式（３）及び式（４）で表される関係が成立する。
０＜Ｌｅｉ＜Ｌｅｏ＜Ｄｉ／２＜Ｄｏ／２    ・・・・  （３）
Ｌｅｏ−Ｌｅｉ＝Ｔｅ                      ・・・・  （４）
【００９４】
上述のように、スリット中心軸Ａｃｓを結ぶ線によって規定される吸水領域Ｒｐａは、吸水シートＳａ１の吸水エリアＳｐａに対応しているので、距離Ｌｅｉはシート縁部起立領域Ｒｐｒの幅に対応しており、シート縁部起立領域幅Ｌｅｉと称する。なお、シート縁部起立領域幅Ｌｅｉと、マット縁部高Ｈ１と、吸水シートＳａ１のシート縁部Ｓｐｒのシート縁幅Ｌｐｒ（図２）との間には、好ましくは、さらに次式（５）で表される関係が成立する。
Ｌｅｉ＜Ｈ１≦Ｌｐｒ  ・・・・・・・・・・・・・・  （５）
【００９５】
上述のように、シート縁部Ｓｐｒのスリット部Ｓによって保持されていない部分は、載置面Ｓｔに接するように垂れ下がることによって、吸水エリアＳｐａを囲むように立ち上がる（図２）。さらに、このシート縁部Ｓｐｒの立ち上がった部分は、上述の式（３）、（４）、及び（５）の関係が満たされることにより、マット縁部Ｒｍ７の内周面Ｓｉによって支えられて、シート縁部Ｓｐｒの立ち上がりが補強される。
【００９６】
図３８に示すように、保持部Ｐｒ７を左右のマット縁部Ｒｍ７に対して均等な角度で切った断面における外周部Ｐｅ７が最も大きい。図３６から見て取れるように、保持部Ｐｒ７の円形輪郭の内部で、保持部Ｐｒ１の円形輪郭が吸水シート保持マットＭ７の中心側に偏心した状態に、保持部Ｐｒ７は構成されている。
【００９７】
図３９を参照して、マット縁部Ｒｍ７の形状及び配設位置の変形例について説明する。まず形状に関して述べると、図３６〜図３８に例示したマット縁部Ｒｍ７は、内周面Ｓｉ及び外周面Ｓｏが共に載置面Ｓｔに対して垂直（θ＝９０°）に、互いに平行に立ち上がる平板状に形成されている。しかし、図３９（ａ）に例示するように、マット縁部Ｒｍ７ａの内周面Ｓｉが載置面Ｓｔに対してほぼ垂直（θ＝９０°）に立ち上がる一方、外周面Ｓｏは凸状曲面としても良い。また、図３９（ｂ）及び図３９（ｃ）に例示するように、マット縁部Ｒｍ７ｂ及びマット縁部Ｒｍ７ｃそれぞれの内周面Ｓｉが載置面Ｓｔに対して傾斜して（８０°≦θ≦８５°）に立ち上がると共に、外周面Ｓｏは凸状曲面としても良い。
【００９８】
次に、マット縁部Ｒｍ７ａ、マット縁部Ｒｍ７ｂ、及びマット縁部Ｒｍ７ｃの配設位置について説明する。図３９（ａ）に示す例（θ＝９０°）においては、マット縁部Ｒｍ７ａのシート縁部起立領域幅Ｌｅｉと、マット縁部厚Ｔｅと、中心軸−外周面間距離Ｌｅｏとの間には、マット縁部Ｒｍ７（図３６〜図３８）の場合と同様に、上述の式（４）で表わされる関係が成立する。一方、図３９（ｂ）及び図３９（ｃ）に示す例（８０°≦θ≦８５°）においては、マット縁部Ｒｍ７ｂ及びマット縁部Ｒｍ７ｃそれぞれの配設位置はマット縁部Ｒｍ７（図３６〜図３８）の配設位置とは異なる。
【００９９】
図３９（ｂ）に示す例においては、マット縁部Ｒｍ７ｂの外周面Ｓｏはマット縁部Ｒｍ７の外周面Ｓｏよりも、吸水シート保持マットＭ７の外部（図３７及び図３９において右側）に位置している。言い換えると、マット縁部Ｒｍ７ｂの外周面Ｓｏが、図３７に示す例と比べて、θによって規定される値ｆ（θ）だけ吸水シート保持マットＭ７の外部に位置している。
【０１００】
図３９（ｃ）に示す例においては、マット縁部Ｒｍ７ｃの内周面Ｓｉはマット縁部Ｒｍ７の内周面Ｓｉよりも、吸水シート保持マットＭ７の内部（図３７及び図３９において左側）に位置している。言い換えると、マット縁部Ｒｍ７ｃの内周面Ｓｉが、図３７に示す例と比べて、θによって規定される値ｆ（θ）だけ吸水シート保持マットＭ７の内部に位置している。
【０１０１】
次に、図４０を参照して、吸水シート保持マットＭ７の変形例について説明する。本変形例に掛かる吸水シート保持マットＭ７ａは、保持部Ｐｒ７が上述の保持部Ｐｒ１ｃ（図７７）に交換されている点を除いて、図３に示す吸水シート保持マットＭ１と同様に構成されている。図４０（ａ）は、保持部Ｐｒ１ｃを中心に、吸水シート保持マットＭ７ａを斜めからみた様子を示す。図４０（ｂ）は、図４０（ａ）の吸水シート保持マットＭ７ａを保持部Ｐｒ１ｃの上面から見た様子を示す。図４０（ｃ）は、保持部Ｐｒ１ｃを中心に吸水シート保持マットＭ７ａを横からみた様子を示す。保持部Ｐｒ７が保持部Ｐｒ１ｃに交換されることによって、吸水シートＳａの不用意に取りはずしの防止や、爪Ｐｓｒｕｄの押し込みが容易である効果を有することは上述の通りである。
【０１０２】
（実施の形態８）
図４１、図４２、及び図４３を参照して、本発明の実施の形態８に係る吸水シート保持マットについて説明する。吸水シート保持マットＭ９は、上述の吸水シート保持マットＭ７（図３６）において、保持部Ｐｒ７及びマット縁部Ｒｍ７がそれぞれ保持部Ｐｒ９及びマット縁部Ｒｍ９に置き換えられている。具体的には、吸水シート保持マットＭ９においては、保持部Ｐｒ９の外周部Ｐｅ９とマット縁部Ｒｍ９の外周面Ｒｓｅ９とが一体的に構成されている。
【０１０３】
マット縁部Ｒｍ９は、マット縁部Ｒｍ７（図３６）において、その外周面Ｓｏの上端からマット部Ｐｍ７の設置面Ｓｂの延長上の面に向かって、且つマット部Ｐｍ７の中心から外周部に向かって傾斜する外周面Ｒｓｅ９（図４２）が設けられている。図４３に示すように、保持部Ｐｒ９の外周部Ｐｅ９の上面はマット部Ｐｍ７の中心から外周部に向かって傾斜している。外周部Ｐｅ９の幅は、上端部から下端部に向けて大きくなるように構成されている（Ｗｅ９ｔ＜Ｗｅ９ｂ）。
【０１０４】
なお、図４４にマット縁部Ｒｍ９の変形例の断面を示す。マット縁部Ｒｍ９ａにおいて、角度θは略８０度から８５度の範囲の値であり、マット縁部Ｒｍ９ａは外周部からマット部Ｐｍ７の中心に向かって傾斜するよう形成されている。
【０１０５】
（実施の形態９）
図４５を参照して、本発明の実施の形態９に係る吸水シート保持マットについて説明する。吸水シート保持マットＭ１０は、上述の実施の形態８に係る吸水シート保持マットＭ９（図４１）において、保持部Ｐｒ９及びマット縁部Ｒｍ９がそれぞれ保持部Ｐｒ１０及びマット縁部Ｒｍ１０に置き換えられている。具体的には吸水シート保持マットＭ１０は、上述の吸水シート保持マットＭ９と同様に保持部Ｐｒ１０の外周部Ｐｅ１０とマット縁部Ｒｍ１０の外周面Ｒｓｅ１０とが一体的に構成されている。但し、マット縁部Ｒｍ１０には、マット縁部Ｒｍ９（吸水シート保持マットＭ９）とは異なり、開口部Ｏが形成されている。マット縁部Ｒｍ１０は、図４５に示す例においては平面視略額縁状の形状を有する。
【０１０６】
保持部Ｐｒ１０は、基本的に保持部Ｐｒ９（図４１）と同様の構成を有する。つまり、保持部Ｐｒ１０の外周部Ｐｅ１０の幅は上端部から下端部に向けて大きくなるように構成されている。
【０１０７】
マット縁部Ｒｍ１０は、その外周面からマット部Ｐｍ７の中心から外周部に向かって延在する外周部Ｒｐｅ１０を有する。外周部Ｒｐｅ１０は、第１外周部Ｒｉｐｅ１０及び第２外周部Ｒｏｐｅ１０を有する。第１外周部Ｒｉｐｅ１０と第２外周部Ｒｏｐｅ１０とは一体的に構成されている。後述するように、マット縁部Ｒｍ１０には開口部Ｏが形成されている。
【０１０８】
第１外周部Ｒｉｐｅ１０は、マット縁部Ｒｍ１０の外周面から、マット部Ｐｍ７の中心の反対側に、向かって長さＬｉｐｅ１０にわたって延在している。第１外周部Ｒｉｐｅ１０の上面は、マット縁部Ｒｍ１０の外周面の上端からマット部Ｐｍ７の設置面Ｓｂの延長上の面に向かって傾斜している。
【０１０９】
第２外周部Ｒｏｐｅ１０は、第１外周部Ｒｉｐｅ１０と一体的に構成されて、マット部Ｐｍ７の中心から外周に向かって長さＬｏｐｅ１０にわたって延在している。第２外周部Ｒｏｐｅ１０は所定の高さｔ４（不図示）を有し、高さｔ４はマット縁部Ｒｍ１０の高さｔ３（不図示）よりも小さい。
【０１１０】
左右のマット縁部Ｒｍ１０にはそれぞれ開口部Ｏが形成されている。開口部Ｏは、マット縁部Ｒｍ１０におけるマット部Ｐｍ７の短辺に隣接する部分に形成されている。開口部Ｏは、使用者による取り扱いの便宜のために設けられるので、その要求を満たすような形状や大きさであれば良い。
【０１１１】
なお、マット縁部Ｒｍ１０がマット部Ｐｍ７の載置面Ｓｔと成す角度θは鈍角であり、マット縁部Ｒｍ１０の内周面はマット部Ｐｍ７の中心から外周部に向かって傾斜していてもよい。また、保持部Ｐｒ１０がマット部Ｐｍ７の載置面Ｓｔと成す角度θは鈍角であり、保持部Ｐｒ１０の内周面はマット部Ｐｍ７の中心から外周部に向かって傾斜していてもよい。
【０１１２】
（実施の形態１０）
図４６、図４７、及び図４８を参照して、本発明の実施の形態１０に係る吸水シート保持マットについて説明する。吸水シート保持マットＭ１１は、上述の実施の形態１に係る吸水シート保持マットＭ１（図３）に、上述の実施の形態７に係るマット縁部Ｒｍ７（図３６、図３７）が適用された構成を有している。マット縁部Ｒｍ７は、保持部Ｐｒ１間を一体的に接続している。マット縁部Ｒｍとマット縁部Ｒｍ７との間を縁部間領域Ｒｒｒと称する。
【０１１３】
図４７は、図４６においてマット縁部Ｒｍ及びマット縁部Ｒｍ７を中心に吸水シート保持マットＭ１１を切断した様子を示す。図４８は、図４６において保持部Ｐｒ１のスリット中心軸Ａｃｓ（図３７）に沿って吸水シート保持マットＭ１１を切断した様子を示す。図４７に示すように、縁部間領域Ｒｒｒは平坦な面で構成されている。また、マット縁部Ｒｍ７の高さＨ７はマット縁部Ｒｍの高さＨ１と略等しい。
【０１１４】
図４９を参照して、マット縁部Ｒｍ及びマット縁部Ｒｍ７の変形例について説明する。図４９（ａ）に例示するように、マット縁部Ｒｍを、図３９（ａ）を参照して説明したマット縁部Ｒｍ７ａと同様の形状を有するように構成してもよい。また、図４９（ｂ）に例示するように、マット縁部Ｒｍ及びマット縁部Ｒｍ７の双方を、マット縁部Ｒｍ７ａと同様の形状を有するように構成してもよい。さらに、図４９（ｃ）に例示するように、マット縁部Ｒｍ７の高さＨ７がマット縁部Ｒｍの高さＨ１より大きいように、マット縁部Ｒｍとマット縁部Ｒｍ７とを構成してもよい。
【０１１５】
なおマット縁部Ｒｍは、マット縁部Ｒｍとマット縁部Ｒｍ７との離間距離及び、マット縁部Ｒｍと保持部Ｐｒ１の外周面との離間距離が略一定となるように、配置してもよい。その場合、マット縁部Ｒｍは、各コーナーにおいては、円弧状のコーナー部がマット縁部Ｒｍから不連続的に、外周側に偏位して形成される。
【０１１６】
（実施の形態１１）
図５０、図５１、及び図５２を参照して、本発明の実施の形態１１に係る吸水シート保持マットについて説明する。吸水シート保持マットＭ１３は、縁部間領域Ｒｒｒが縁部間領域Ｒｒｒｓに置き換えられる点を除いて上述の吸水シート保持マットＭ１１と同様に構成されている。
【０１１７】
図５１は、図５０においてマット縁部Ｒｍ及びマット縁部Ｒｍ７を中心に吸水シート保持マットＭ１３を切断した様子を示す。図５２は、図５０において保持部Ｐｒ１のスリット中心軸Ａｃｓで吸水シート保持マットＭ１３を切断した様子を示す。図５１及び図５２に示すように、縁部間領域Ｒｒｒｓは、マット縁部Ｒｍ７の上端部とマット縁部Ｒｍの下端部との間に延在する傾斜面で構成されている。
【０１１８】
図５３を参照して、マット縁部Ｒｍ及びマット縁部Ｒｍ７の変形例について説明する。図５３（ａ）に例示するように、マット縁部Ｒｍを、図４９（ａ）を参照して説明したマット縁部Ｒｍと同様の形状を有するように構成してもよい。また、図５３（ｂ）に例示するように、マット縁部Ｒｍを図５３（ａ）に示すマット縁部Ｒｍと同様の形状を有するように構成すると共に、マット縁部Ｒｍ７の内周面Ｓｉが載置面Ｓｔに対して傾斜する（８０°≦θ≦８５°）ように構成してもよい。
【０１１９】
（実施の形態１２）
図５４、図５５、図５６、及び図５７を参照して、本発明の実施の形態１２に係る吸水シート保持マットについて説明する。吸水シート保持マットＭ１４は、マット縁部Ｒｍ７がマット縁部Ｒｍ１４に置き換えられている点を除いて上述の吸水シート保持マットＭ１１と同様に構成されている。上述のマット縁部Ｒｍ７が連続的に延在しているのに対して、本実施の形態に係るマット縁部Ｒｍ１４は、複数のマット縁部からなり、マット縁部同士の間に間隙Ｇが形成されている。
【０１２０】
図５４に示す例では、マット縁部Ｒｍ１４におけるマット部Ｐｍ１の短辺Ｌｓｍ（図３）に略平行な部分に、間隙Ｇがそれぞれ形成されている。図５５は、図５４においてマット部Ｐｍ１の短辺Ｌｓｍ（図３）に略平行に、マット縁部Ｒｍ１４の位置で吸水シート保持マットＭ１４を切断した様子を示す。なお、マット縁部Ｒｍ１４の高さＨ１４が保持部Ｐｒ１の高さよりも大きいように構成してもよい。
【０１２１】
図５６は、図５４においてマット部Ｐｍ１の長辺Ｌｌｍ（図３）に略平行に、マット縁部Ｒｍ１４の位置で吸水シート保持マットＭ１４を切断した様子を示す。図５６に示すように、マット縁部Ｒｍ１４には、その略中央位置に切欠Ｎｏが形成されている。上述のように構成された吸水シート保持マットＭ１４は、図５７に示すように、切欠Ｎｏ及びＮｏを結ぶ線に沿ってマット部Ｐｍ７を折り曲げて、壁や家具等の吸水シート保持マットＭ１４を設置する場所と所定の角度をなす面に沿わせて設置することができる。つまり、切欠Ｎｏによって、吸水シート保持マットＭ１４を曲げたときの変形を吸収できる。なお、マット縁部Ｒｍ１４の高さＨ１４が保持部Ｐｒ１の高さよりも大きいように構成してもよい。
【０１２２】
（実施の形態１３）
図５８及び図５９を参照して、本発明の実施の形態１３に係る吸水シート保持マットについて説明する。吸水シート保持マットＭ１５は、マット縁部Ｒｍ１４がマット縁部Ｒｍ１５に置き換えられる点を除いて上述の吸水シート保持マットＭ１４と同様に構成されている。図５９は、図５８においてマット部Ｐｍ１の短辺Ｌｓｍ（図３）に略平行に、マット縁部Ｒｍ１５の位置で吸水シート保持マットＭ１５を切断した様子を示す。
【０１２３】
図５８及び図５９に示すように、マット縁部Ｒｍ１５は、複数のマット縁部からなり、マット縁部同士の間に間隙Ｇが形成されている。間隙Ｇに隣接するマット縁部の端部は傾斜面をなしている。
【０１２４】
なお、図５９には、マット縁部Ｒｍ１５の高さＨ１５と保持部Ｐｒ１の高さｔ２とが概ね同一である例が示されている。しかしながら、高さＨ１５が高さｔ２よりも大きく、且つ保持部Ｐｒ１に隣接するマット縁部の上端が、間隙に向かって傾斜するように構成してもよい。
【０１２５】
（実施の形態１４）
図６０、図６１、及び図６２を参照して、本発明の実施の形態１４に係る吸水シート保持マットについて説明する。吸水シート保持マットＭ１６は、上述の実施の形態７に係る吸水シート保持マットＭ７（図３６）において、保持部Ｐｒ７が保持部Ｐｒ３ｃに置き換えられている。保持部Ｐｒ３ｃは、上述の実施の形態３に係る保持部Ｐｒ３（図２２〜図２５）において、縁部Ｒｐｒ３がさらに設けられている。実施の形態３において説明した通り、保持部Ｐｒ３は、複数のスリット部Ｓ３及びＳ４が一体的に形成されている。
【０１２６】
図６１は、図６０においてマット縁部Ｒｍ７を中心に吸水シート保持マットＭ１６を切断した様子を示す。図６２は、図６０において保持部Ｐｒ３ｃのスリット中心軸Ａｃｓに沿って吸水シート保持マットＭ１６を切断した様子を示す。図６１に示すように、マット縁部厚Ｔｅ、シート縁部起立領域幅Ｌｅｉ、及び中心軸−外周面間距離Ｌｅｏと、保持部Ｐｒ３ｃのスリット部Ｓ３の内径Ｄｉ３及び外径Ｄｏ３との間には、次式（６）で表される関係が成立する。マット縁部厚Ｔｅと、シート縁部起立領域幅Ｌｅｉと、及び中心軸−外周面間距離Ｌｅｏとの間には、実施の形態７で述べた式（４）で表される関係が成立する。
０＜Ｌｅｉ＜Ｌｅｏ＜Ｄｉ３／２＜Ｄｏ３／２  ・・・・  （６）
Ｌｅｏ−Ｌｅｉ＝Ｔｅ                        ・・・・  （４）
【０１２７】
図６３及び図６４を参照して、保持部Ｐｒ３の変形例について説明する。保持部Ｐｒ３ａは、保持部Ｐｒ３において、スリット部Ｓ４が貫通孔Ｔｈに置き換えられている。図６４（ａ）に示すように、貫通孔Ｔｈは、載置面Ｓｔに対して略垂直な方向に沿って形成されている。また、保持部Ｐｒ３ａの外周面Ｓｏｐは、凸状曲面に形成されている。なお、図６４（ｂ）に示すように、凸状曲面に形成されている外周面Ｓｏｐの下部に、空間を設けてもよい。
【０１２８】
次に、図６５を参照して、吸水シート保持マットＭ１６の第１の変形例について説明する。吸水シート保持マットＭ１６ａは、図１１を参照して説明した吸水シート保持マットＭ１ａと同様に、その載置面Ｓｔ上にレギュラーサイズの２枚の吸水シートを一部分が重なるように並べて保持した状態で使用される。あるいは、吸水シート保持マットＭ１６ａは、その載置面Ｓｔ上に１枚のワイドサイズの吸水シートを保持した状態で使用してもよい。
【０１２９】
吸水シート保持マットＭ１６ａは、マット部Ｐｍ７がマット部Ｐｍ７ａに置き換えられると共に、保持部Ｐｒ１ｂが追加されている点を除いて上述の吸水シート保持マットＭ１６と同様に構成されている。なお、保持部Ｐｒ３の下端には縁部は形成されていない。以降、保持部Ｐｒ１ｂに関して重点的に述べる。
【０１３０】
隣接する保持部Ｐｒ３、Ｐｒ３それぞれのスリット部Ｓ３、Ｓ３の中心間を二点鎖線で結ぶと線分矩形の領域Ｒｐａが規定される。保持部Ｐｒ１ｂは、スリット部Ｓの中心が、隣接する保持部Ｐｒ３、Ｐｒ３それぞれのスリット部Ｓ３、Ｓ３の中心間を結ぶ線分の略中央に対応する位置に位置するように設けられている。保持部Ｐｒ１ｂは、その上面の高さが、マット縁部Ｒｍ７の上面と同じ高さになるように形成されている。
【０１３１】
次に、図６６を参照して、吸水シート保持マットＭ１６の第２の変形例について説明する。吸水シート保持マットＭ１６ｂは、保持部Ｐｒ１ｂが保持部Ｐｒ３ｂに置き換えられている点を除いて上述の吸水シート保持マットＭ１６ａと同様に構成されている。保持部Ｐｒ３ｂは、スリット部Ｓ３の中心が、隣接する保持部Ｐｒ３、Ｐｒ３それぞれのスリット部Ｓ３、Ｓ３の中心間を結ぶ線分の略中央に対応する位置に位置するように設けられている。
【０１３２】
（実施の形態１５）
図６７及び図６８を参照して、本発明の実施の形態１５に係る吸水シート保持マットについて説明する。吸水シート保持マットＭ１７は、保持部Ｐｒ１が上述の実施の形態３に係る保持部Ｐｒ３に置き換えられる点を除いて上述の実施の形態１０に係る吸水シート保持マットＭ１１（図４６）と同様に構成されている。図６８は、図６７においてマット縁部Ｒｍ及びマット縁部Ｒｍ７を中心に吸水シート保持マットＭ１７を切断した様子を示す。
【０１３３】
なお、吸水シート保持マットＭ１７において、保持部Ｐｒ３を上述の保持部Ｐｒ３ａ（図６３、図６４）に置き換えてもよい。
【０１３４】
次に、図６９を参照して、吸水シート保持マットＭ１７の第１の変形例について説明する。吸水シート保持マットＭ１７ａは、吸水シート保持マットＭ１７に、図６５を参照して説明した保持部Ｐｒ１ｂがさらに設けられている。
【０１３５】
次に、図７０を参照して、吸水シート保持マットＭ１７の第２の変形例について説明する。吸水シート保持マットＭ１７ｂは、吸水シート保持マットＭ１７ａにおいて、保持部Ｐｒ１ｂが図６６を参照して説明した保持部Ｐｒ３ｂに置き換えられている。保持部Ｐｒ３ｂは、マット縁部Ｒｍ７及びマット縁部Ｒｍにまたがって形成されている。
【０１３６】
（実施の形態１６）
図７１及び図７２を参照して、本発明の実施の形態１６に係る吸水シート保持マットについて説明する。吸水シート保持マットＭ１８は、保持部Ｐｒ１が上述の実施の形態３に係る保持部Ｐｒ３に置き換えられる点を除いて上述の実施の形態１１に係る吸水シート保持マットＭ１３（図５０）と同様に構成されている。図７２は、図７１においてマット縁部Ｒｍ及びマット縁部Ｒｍ７を中心に吸水シート保持マットＭ１８を切断した様子を示す。
【０１３７】
（実施の形態１７）
図７３及び図７４を参照して、本発明の実施の形態１７に係る吸水シート保持マットについて説明する。吸水シート保持マットＭ１９は、保持部Ｐｒ９が上述の実施の形態３に係る保持部Ｐｒ３に置き換えられる点を除いて上述の実施の形態８に係る吸水シート保持マットＭ９（図４１）と同様に構成されている。図７４は、図７３においてマット縁部Ｒｍ９を中心に吸水シート保持マットＭ１９を切断した様子を示す。
【０１３８】
なお、保持部Ｐｒ３は、図６３を参照して説明した保持部Ｐｒ３ａに置き換えられてもよい。
【０１３９】
次に、図７５を参照して、吸水シート保持マットＭ１９の第１の変形例について説明する。吸水シート保持マットＭ１９ａは、吸水シート保持マットＭ１９に、図６５を参照して説明した保持部Ｐｒ１ｂがさらに設けられている。
【０１４０】
次に、図７６を参照して、吸水シート保持マットＭ１９の第２の変形例について説明する。吸水シート保持マットＭ１９ｂは、吸水シート保持マットＭ１９ａにおいて、保持部Ｐｒ１ｂが図６６を参照して説明した保持部Ｐｒ３ｂに置き換えられている。
【産業上の利用可能性】
【０１４１】
本発明は、吸水シートを安定的に保持する吸水シート保持マットに利用できる。
【符号の説明】
【０１４２】
Ｍ、Ｍ１、Ｍ１ａ、Ｍ１ｂ、Ｍ１ｃ、Ｍ２、Ｍ２ａ、Ｍ３、Ｍ３ａ、Ｍ３ｂ、Ｍ３ｃ、Ｍ４、Ｍ５、Ｍ６、Ｍ７、Ｍ９、Ｍ１０、Ｍ１１、Ｍ１３、Ｍ１４、Ｍ１５、Ｍ１６、Ｍ１６ａ、Ｍ１６ｂ、Ｍ１７、Ｍ１７ａ、Ｍ１７ｂ、Ｍ１８、Ｍ１９、Ｍ１９ａ、Ｍ１９ｂ  吸水シート保持マット
Ｐｍ、Ｐｍ１、Ｐｍ１ａ、Ｐｍ２、Ｐｍ２ａ、Ｐｍ３、Ｐｍ４、Ｐｍ７  マット部
Ｓｔ  載置面
Ｓｂ  設置面（主面）
Ｒｍ、Ｒｍ７、Ｒｍ７ａ、Ｒｍ７ｂ、Ｒｍ７ｃ、Ｒｍ９、Ｒｍ９ａ、Ｒｍ１０、Ｒｍ１０ａ、Ｒｍ１２、Ｒｍ１４、Ｒｍ１５  マット縁部
Ｐｒ、Ｐｒ１、Ｐｒ１ａ、Ｐｒ１ｂ、Ｐｒ２、Ｐｒ２ａ、Ｐｒ３、Ｐｒ３ａ、Ｐｒ３ｂ、Ｐｒ３ｃ、Ｐｒ７、Ｐｒ８、Ｐｒ９、Ｐｒ１０、Ｐｒ１０ａ  保持部
Ｓｒｕ、Ｓｒｕ１、Ｓｒｕ２、Ｓｒｕ３、Ｓｒｕ４  上面
Ｓ  切り込み
Ｓ、Ｓ１、Ｓ２、Ｓ３、Ｓ４、Ｓｄ  スリット部
ＳＬ１、ＳＬ２、ＳＬ３  スリット
Ｐｅｓ、Ｐｅｓ１、Ｐｅｓ２、Ｐｅｓ３、Ｐｅｓ４  スリットの端部
Ｐｓｒｕ、Ｐｓｒｕ１、Ｐｓｒｕ２、Ｐｓｒｕｄ  爪
Ｗｒ、Ｗｒ１、Ｗｒ２、Ｗｒ３、Ｗｒ４  周壁
Ｓｃ、Ｓｃ１、Ｓｃ２、Ｓｃ３、Ｓｃ４  ステップ
Ｓｒ  リム
Ｐａｓ  通路
Ｗｂ１、Ｗｂ２  壁
Ｗｒｃ  共有部
Ｃ  キャップ
Ｓａ、Ｓａ１、Ｓａ１ａ、Ｓａ１ｂ  吸水シート
Ｓｐａ  吸水エリア
Ｓｐｒ  シート縁部
Ｓｐｃ  隅部
Ｌ  所定の距離
Ｌｐｒ  吸水シート縁幅
Ｌｓｓ  吸水シートの短辺
Ｌｌｓ  吸水シートの長辺
Ｌｓｓａ  吸水エリアの短辺
Ｌｌｓａ  吸水エリアの長辺
Ｌｓｍ  マット部の短辺
Ｌｌｍ  マット部の長辺
Ｌａｒ  連結線
Ｄａｒ  離間距離
Ｌｏ  対角線
Ａｃｓ  スリット中心軸
Ｒｐａ  吸水領域
Ｒｐｒ  シート縁部起立領域
Ｐｅ７、Ｐｅ９、Ｐｅ１０、Ｒｐｅ１０  外周部
Ｗｅ７  外周部の幅
Ｒｉｐｅ１０  第１外周部
Ｒｏｐｅ１０  第２外周部
Ｏ  開口部
Ｔｅ  マット縁部厚
Ｌｅｉ  シート縁部起立領域幅
Ｌｅｏ  中心軸−外周面間距離
Ｓｏ、Ｓｏｐ  外周面
Ｓｉ  内周面
Ｒｓｅ９、Ｒｓｅ１０  外周面
Ｔｈ  貫通孔
Ｈ１、Ｈ７  マット縁部高
Ｒｒｒ、Ｒｒｒｓ  縁部間領域
Ｎｏ  切欠
Ｄｉ、Ｄｉ１、Ｄｉ２  保持部の内径
Ｄｏ、Ｄｏ１、Ｄｏ２  保持部の外径
【図１】
0005531167.tif 000002
【図２】
0005531167.tif 000003
【図３】
0005531167.tif 000004
【図４】
0005531167.tif 000005
【図５】
0005531167.tif 000006
【図６】
0005531167.tif 000007
【図７】
0005531167.tif 000008
【図８】
0005531167.tif 000009
【図９】
0005531167.tif 000010
【図１０】
0005531167.tif 000011
【図１１】
0005531167.tif 000012
【図１２】
0005531167.tif 000013
【図１３】
0005531167.tif 000014
【図１４】
0005531167.tif 000015
【図１５】
0005531167.tif 000016
【図１６】
0005531167.tif 000017
【図１７】
0005531167.tif 000018
【図１８】
0005531167.tif 000019
【図１９】
0005531167.tif 000020
【図２０】
0005531167.tif 000021
【図２１】
0005531167.tif 000022
【図２２】
0005531167.tif 000023
【図２３】
0005531167.tif 000024
【図２４】
0005531167.tif 000025
【図２５】
0005531167.tif 000026
【図２６】
0005531167.tif 000027
【図２７】
0005531167.tif 000028
【図２８】
0005531167.tif 000029
【図２９】
0005531167.tif 000030
【図３０】
0005531167.tif 000031
【図３１】
0005531167.tif 000032
【図３２】
0005531167.tif 000033
【図３３】
0005531167.tif 000034
【図３４】
0005531167.tif 000035
【図３５】
0005531167.tif 000036
【図３６】
0005531167.tif 000037
【図３７】
0005531167.tif 000038
【図３８】
0005531167.tif 000039
【図３９】
0005531167.tif 000040
【図４０】
0005531167.tif 000041
【図４１】
0005531167.tif 000042
【図４２】
0005531167.tif 000043
【図４３】
0005531167.tif 000044
【図４４】
0005531167.tif 000045
【図４５】
0005531167.tif 000046
【図４６】
0005531167.tif 000047
【図４７】
0005531167.tif 000048
【図４８】
0005531167.tif 000049
【図４９】
0005531167.tif 000050
【図５０】
0005531167.tif 000051
【図５１】
0005531167.tif 000052
【図５２】
0005531167.tif 000053
【図５３】
0005531167.tif 000054
【図５４】
0005531167.tif 000055
【図５５】
0005531167.tif 000056
【図５６】
0005531167.tif 000057
【図５７】
0005531167.tif 000058
【図５８】
0005531167.tif 000059
【図５９】
0005531167.tif 000060
【図６０】
0005531167.tif 000061
【図６１】
0005531167.tif 000062
【図６２】
0005531167.tif 000063
【図６３】
0005531167.tif 000064
【図６４】
0005531167.tif 000065
【図６５】
0005531167.tif 000066
【図６６】
0005531167.tif 000067
【図６７】
0005531167.tif 000068
【図６８】
0005531167.tif 000069
【図６９】
0005531167.tif 000070
【図７０】
0005531167.tif 000071
【図７１】
0005531167.tif 000072
【図７２】
0005531167.tif 000073
【図７３】
0005531167.tif 000074
【図７４】
0005531167.tif 000075
【図７５】
0005531167.tif 000076
【図７６】
0005531167.tif 000077
【図７７】
0005531167.tif 000078
【図７８】
0005531167.tif 000079
【図７９】
0005531167.tif 000080